(57)【要約】      （修正有）【課題】野縁受け上に部材取付桟を交差状態に取り付けるにあたって、強大な地震等の外部振動や衝撃を受けても、これに十分に耐えることができる交差金具を提案することを目的とする。【解決手段】天井裏空隙部に天井裏配設部材を取り付けるための部材取付桟８を野縁受け３に交差して取り付けるにあたって、部材取付桟８を野縁受け３に交差して取り付けるための交差金具９は、部材取付桟８にビス止めされる取付桟ビス止め板部１０と、これに平面視Ｌ字状に一体に折曲して形成され野縁受け３にビス止めされる野縁受けビス止め板部１１とからなる。【選択図】図１
2019218683.tif 000002
【特許請求の範囲】
【請求項１】
天井躯体等からなる天井部と、天井部より垂下される吊りボルトの下端部に野縁受け及び野縁を介して取り付けられる天井材との間の既設の天井裏空隙部を利用して、この空隙部に照明器具やアウトレットボックス等の天井裏配設部材を取り付けるための部材取付桟を野縁受けに交差して取り付けてなる天井裏配設部材取付装置において、
部材取付桟を野縁受けに交差して取り付けるための交差金具は、部材取付桟にビス止めされる取付桟ビス止め板部と、これに平面視Ｌ字状に一体に連続折曲して野縁受けにビス止めされる野縁受けビス止め板部とからなる天井裏配設部材取付装置。
【請求項２】
部材取付桟及び野縁受けは、何れも縦ウェッブとその上部側の上フランジ及び下部側の下フランジと横向きの溝開口とからなるチャンネル部材からなり、
前記取付桟ビス止め板部は、前記部材取付桟の上フランジに対向する上横板片と、前記部材取付桟を跨いで該上横板片から二股状に折曲し下向き縦方向に延びて部材取付桟の縦ウェッブ及び溝開口に対向すると共に、更に下向き縦方向に延びて野縁受けの縦ウェッブに対向する一対の左右縦板片とからなり、
前記野縁受けビス止め板部は、部材取付桟の左右縦板片の側端縁から平面視Ｌ字状に互いに反対方向に、即ち略ハの字状に折曲して形成され野縁受けの縦ウェッブに対向する左右平板部からなり、
取付桟ビス止め板部の左右縦板片及び野縁受けビス止め板部の左右平板部に夫々ビス孔を形成しており、これらのビス孔から部材取付桟及び野縁受けにねじ込まれるビスによって取付桟ビス止め板部の左右縦板片及び野縁受けビス止め板部の左右平板部は部材取付桟及び野縁受けに夫々固着されてなる請求項１に記載の天井裏配設部材取付装置。
【請求項３】
前記部材取付桟の上フランジに対向する上横板片には、上フランジの上面を押接して部部材取付桟を押圧支持する押圧ビスをねじ込むビス孔が形成されてなる請求項２に記載の天井裏配設部材取付装置。
【請求項４】
前記野縁受けビス止め板部の左右平板部の下端縁から側面視Ｌ字状に連続折曲して野縁受けの下フランジに対向する下横板片が形成されてなる請求項２又は３に記載の天井裏配設部材取付装置。
【請求項５】
前記取付桟ビス止め板部の上横板片は部材取付桟の長手方向に偏位して設けられてなる請求項２〜４の何れかに記載の天井裏配設部材取付装置。
【請求項６】
前記野縁受けビス止め板部の下横板片には、野縁受けの下フランジにビス止めされるビス孔が形成されてなる請求項１〜５の何れかに記載の天井裏配設部材取付装置。
【請求項７】
前記交差金具の上記上横板片と、一対の左右縦板片と、一対の左右平板部と、一対の下横板片と、複数のビス孔とは、一枚の鋼板材の裁断と折曲とによって形成されてなる請求項２〜６の何れかに記載の天井裏配設部材取付装置。
【発明の詳細な説明】
【技術分野】
【０００１】
本発明は、建物の天井躯体とこれに取り付けられる天井材との間の空隙部、一般に二重天井の空隙部と言われているが、この二重天井の空隙部を利用して、この空隙部に照明器具とか配管配線等の天井裏配設部材を取り付けるための天井裏配設部材取付装置に関する。
【背景技術】
【０００２】
建物の天井裏空隙部である天井躯体の天井面とこれに対向する天井材との二重天井間に１〜２メートル程度の空隙部が存在するが、従来からこの空隙部を利用して天井裏配設部材を取り付けるようにしている。
【０００３】
従来のこの種取付装置の一例は、図８に示すように、建物のコンクリートスラブ等からなる天井躯体Ｓに埋設されているインサートナット３１に吊りボルト２をねじ込んで、該吊りボルト２を天井部１から垂下させ、その下端部にハンガー３２を介して野縁受け３を吊持し、これにクリップ３３を介して野縁４を取り付け、該野縁４に天井ボードや天井板等の天井材５がビスや接着材によって固着されている。なお、吊りボルト２は、当然に、図示のように、図中左右方向適当間隔に、且つ左右方向に直交する前後方向に適当間隔に互いに隣り合って多数垂下して設けられている。
【０００４】
そして天井部１と天井材５との間の天井裏空隙部６に部材取付桟８が交差クリップ３０によって互いに隣合う野縁受け３、３にわたって交差して取り付けられ、この部材取付桟８に取付具３４によって照明器具７ａやアウトレットボックス７ｂ等の天井裏配設部材７が取り付けられるようにしている。
【０００５】
図９に示すように、野縁受け３は、周知のように縦ウェッブ３ａとその上部側の上フランジ３ｂとその下部側の下フランジ３ｃと縦ウェッブ３ａに対向する横向き溝開口３ｄとの断面略コ字状の長尺部材であるチャッネル部材からなるもので、この野縁受け３の上フランジ３ｂ上面に交差して配される部材取付桟８も野縁受け３と同じように、縦ウェッブ８ａとその上部側の上フランジ８ｂと、その下部側の下フランジ８ｃと縦ウェッブ８ａに対向する横向き溝開口８ｄとからなる野縁受け３と同じ断面略コ字状の長尺部材であるチャンネル部材からなる。
【０００６】
そして、野縁受け３上に部材取付桟８を交差状態に取り付ける交差クリップ３０は、図９及び図１０に示すように、弾力性を有する鋼線材によって部材取付桟８を挟んでその上面の上フランジ８ｂの上面に架け渡される上横クリップ線３０ａと、該上横クリップ線３０ａからから野縁受け３の下フランジ３ｃまで二股状に延びる縦クリップ線３０ｂと、該縦クリップ線３０ｂの下端部から野縁受け３の下フランジ３ｃの下面に延び、下フランジ３ｃに弾性係合する下横クリップ線３０ｃとからなるものである。
【０００７】
このように、野縁受け３上に部材取付桟８を交差状態に取り付けるにあたって、弾性係合線材からなる交差クリップ３０を部材取付桟８と野縁受け３とに渡って弾性係合させるだけであるから構造が簡単であり、且つ両者を弾性係合するだけでよいからその取付作業も容易であるが、その反面、交差クリップ３０という結合強度の低い線材を弾性力のみによって両者を交差状態に係合するのであるから、強大な地震等の外部振動や衝撃を受けると線材からなる交差クリップ３０が破断したり、交差クリップ３０による上記両者に対する弾性係合力が破壊されて、部材取付桟８が野縁受け３から離脱や倒壊し、これがために部材取付桟８に取り付けられる天井裏配設部材７が野縁受け３から脱落して天井裏配設部材７を破損する虞れがあった。
【発明の概要】
【発明が解決しようとする課題】
【０００８】
本発明は、上記従来技術に鑑み、野縁受け３上に部材取付桟８を交差状態に取り付けるにあたって、強大な地震等の外部振動や衝撃を受けても、これに十分に耐えることができる交差金具を提案することを目的とするものである。
【課題を解決するための手段】
【０００９】
上記目的を達成するための手段を図面の参照符号を付して示せば、請求項１の発明に係る天井裏配設部材取付装置は、天井躯体Ｓ等からなる天井部１と、天井部１より垂下される吊りボルト２の下端部に野縁受け３及び野縁４を介して取り付けられる天井材５との間の既設の天井裏空隙部６を利用して、この空隙部６に照明器具７ａやアウトレットボックス７ｂ等の天井裏配設部材７を取り付けるための部材取付桟８を野縁受け３に交差して取り付けてなる天井裏配設部材取付装置において、部材取付桟８を野縁受け３に交差して取り付けるための交差金具９は、部材取付桟８にビス止めされる取付桟ビス止め板部１０と、これに平面視Ｌ字状に一体に連続折曲して野縁受け３にビス止めされる野縁受けビス止め板部１１とからなることを特徴とする。
【００１０】
又、請求項２の発明は、材取付桟８及び野縁受け３は、何れも縦ウェッブ８ａ，３ａとその上部側の上フランジ８ｂ，３ｂ及び下部側の下フランジ８ｃ，３ｃと横向きの溝開口８ｄ，３ｄとからなるチャンネル部材からなり、前記取付桟ビス止め板部１０は、前記部材取付桟８の上フランジ８ｂに対向する上横板片１２と、前記部材取付桟８を跨いで該上横板片１２から二股状に折曲し下向き縦方向に延びて部材取付桟８の縦ウェッブ８ａ及び溝開口８ｄに対向すると共に、更に下向き縦方向に延びて野縁受け３の縦ウェッブ３ａに対向する一対の左右縦板片１３，１３とからなり、前記野縁受けビス止め板部１１は、部材取付桟８の左右縦板片１３，１３の側端縁から平面視Ｌ字状に互いに反対方向に、即ち略ハの字状に連続折曲して野縁受け３の縦ウェッブ３ａに対向する左右平板部１４，１４からなり、取付桟ビス止め板部１０の左右縦板片１３，１３及び野縁受けビス止め板部１１の左右平板部１４，１４に夫々ビス孔１５，１６を形成しており、これらのビス孔１５，１６から部材取付桟８及び野縁受け３にねじ込まれるビス１７，１８によって取付桟ビス止め板部１０の左右縦板片１３，１３及び野縁受けビス止め板部１１の左右平板部１４，１４部は部材取付桟８及び野縁受け３に夫々固着されてなる請求項１に記載の天井裏配設部材取付装置に係る。
【００１１】
又、請求項３の発明は、前記部材取付桟８の上フランジ８ｂに対向する上横板片１２には、上フランジ８ｂの上面を押接して部材取付桟８を押圧支持する押圧ビス２２をねじ込むビス孔２０が形成されてなる請求項２に記載の天井裏配設部材取付装置に係る。
【００１２】
又、請求項４の発明は、前記野縁受けビス止め板部１１の左右平板部１４，１４の下端縁から側面視Ｌ字状に連続折曲して野縁受け３の下フランジ３ｃに対向する下横板片１９が形成されてなる請求項２又は３に記載の天井裏配設部材取付装置に係る。
【００１３】
又、請求項５の発明は、前記取付桟ビス止め板部１０の上横板片１２は部材取付桟８の長手方向に偏位して設けられてなる請求項２〜４の何れかに記載の天井裏配設部材取付装置に係る。
【００１４】
又、請求項６の発明は、前記野縁受けビス止め板部１１の下横板片１９には、野縁受け３の下フランジ３ｃにビス止めされるビス孔２１が形成されてなる請求項２〜５の何れかに記載の天井裏配設部材取付装置に係る。
【００１５】
又、請求項７の発明は、前記交差金具９の上記上横板片１２と、一対の左右縦板片１３，１３と、一対の左右平板部１４，１４と、一対の下横板片１９と、複数のビス孔１５，１６，２０，２１とは、一枚の鋼板材９Ａ又は９Ｂの裁断と折曲とによって形成されてなる請求項２〜６の何れかに記載の天井裏配設部材取付装置に係る。
【発明の効果】
【００１６】
次に、本発明の効果について、図面の参照符号を付して説明する。請求項１の発明に係る天井裏配設部材取付装置によれば、天井躯体Ｓ等からなる天井部１と、天井部１より垂下される吊りボルト２の下端部に野縁受け３及び野縁４を介して取り付けられる天井材５との間の既設の天井裏空隙部６を利用して、この空隙部６に照明器具７ａやアウトレットボックス７ｂ等の天井裏配設部材７を取り付けるための部材取付桟８を野縁受け３に交差して取り付けてなる天井裏配設部材取付装置において、部材取付桟８と野縁受け３とは、部材取付桟８にビス止めされる取付桟ビス止め板部１０と、これに平面視Ｌ字状に一体に連続折曲して野縁受け３にビス止めされる野縁受けビス止め板部１１とからなる交差金具９によって固着されてなるため、強大な地震等の外部振動や衝撃を受けても、部材取付桟８は交差金具９によって野縁受け３に強固に固着され、部材取付桟８が野縁受け３から離脱したり倒壊するようなことはなく、部材取付桟８に取り付けられている天井裏配設部材７の所定の配設状態を長期にわたって安全且つ確実に維持することができる。
【００１７】
請求項２の発明に係る天井裏配設部材取付装置によれば、交差金具９は、従来から採用されている部材取付桟８とこれに交差して取り付けられる野縁受け３の、何れも縦ウェッブ８ａ，３ａとその上部側の上フランジ８ｂ，３ｂ及び下部側の下フランジ８ｃ，３ｃと横向きの溝開口８ｄ，３ｄとからなるチャッネル部材にそのまま適用することができるから、交差金具９を取り付けるために部材取付桟８と野縁受け３とに特別な加工を必要としないため、それだけ実用的である。
【００１８】
特に、部材取付桟８を固着するための取付桟ビス止め板部１０は、前記部材取付桟８の上フランジ８ｂに対向する上横板片１２と、前記部材取付桟８を跨いで該上横板片１２から二股状に折曲し下向き縦方向に延びて部材取付桟８の縦ウェッブ８ａ及び溝開口８ｄに対向すると共に、更に下向き縦方向に延びて野縁受け３の縦ウェッブ３ａに対向する一対の左右縦板片１３，１３とからなるため、部材取付桟８は、取付桟ビス止め板部１０の上横板片１２と左右縦板片１３，１３とに囲繞された状態となっており、又、前記野縁受けビス止め板部１１は、取付桟ビス止め板部１０の左右縦板片１３，１３の側端縁から平面視Ｌ字状に互いに反対方向に、即ち略ハの字状に折曲して形成され野縁受け３の縦ウェッブ３ａに対向する左右平板部１４，１４からなるため、野縁受け３は、取付桟ビス止め板部１０を挟んで野縁受けビス止め板部１１の左右の一対の平板部１４，１４に当接した状態となっており、取付桟ビス止め板部１０の左右縦板片１３，１３及び野縁受けビス止め板部１１の左右平板部１４，１４に面接触した状態で夫々のビス孔１５，１６から部材取付桟８及び野縁受け３にねじ込まれるビス１７，１８によって取付桟ビス止め板部１０の左右縦板片１３，１３及び野縁受けビス止め板部１１の左右平板部１４，１４部は部材取付桟８及び野縁受け３に夫々固着されてなるため、部材取付桟８と野縁受け３とは交差金具９によって互いに強力に交差状態に連結され、強大な地震等の外部振動や衝撃に耐えて両者の交差状態を維持し、これらに取り付けられる天井裏配設部材７を安定して配設維持することができる。
【００１９】
又、請求項３の発明に係る天井裏配設部材取付装置によれば、前記部材取付桟８の上フランジ８ｂに対向する上横板片１２には、上フランジ８ｂの上面を押接して部材取付桟８を押圧支持する押圧ビス２２をねじ込むビス孔２０が形成されてなるため、図２又は図３に示すように、部材取付桟８の縦ウェッブ８ａの縦幅の狭幅Ｌ１又は広幅Ｌ２に合わせて押圧ビス２２の上横板片１２のビス孔２０に対するねじ込み量を変えることによって部材取付桟８の縦ウェッブ８ａの縦幅が変わっても部材取付桟８を常時押圧支持することができる。
【００２０】
請求項４の発明に係る天井裏配設部材取付装置によれば、前記野縁受けビス止め板部１１の左右平板部１４，１４の下端縁から側面視Ｌ字状に連続折曲して野縁受け３の下フランジ３ｃに対向する下横板片１９が形成されてなるため、部材取付桟８の上面である上フランジ８ｂは取付桟ビス止め板部１０の上横板片１２にねじ込まれる押圧ビス２２に押圧支持され、野縁受け３の下面である下フランジ３ｃは野縁受けビス止め板部１１の下横板片１９に当接するようになっているため、部材取付桟８及び野縁受け３に対する上下方向からの衝撃を上横板片１２と下横板片１９とによっても受け止めることができ、それだけ上下方向からの衝撃に対する耐久性が向上する。
【００２１】
結局、野縁受け３と部材取付桟８とは交差金具９によって左右方向、前後方向及び上下方向からの衝撃力に対して十分な耐久力を発揮することができる。
【００２２】
請求項５の発明に係る天井裏配設部材取付装置によれば、前記取付桟ビス止め板部１０の上横板片１２は部材取付桟８の長手方向に偏位して設けられ、その偏位した位置にある上横板片１２のビス孔２０にねじ込まれる押圧ビス２２によって下横板片１９と、それより部材取付桟８の長手方向に偏位した位置にある上横板片１２との対向間隔間で部材取付桟８及び野縁受け３を受け止めることなるから、それだけ上下方向からの衝撃に対する耐久性が一層向上する。
【００２３】
請求項６の発明に係る天井裏配設部材取付装置によれば、前記野縁受けビス止め板部１１の下横板片１９には、野縁受け３の下フランジ３ｃにビス止めされるビス孔２１が形成されてなるため、請求項３又は４の効果である部材取付桟８の上フランジ８ｂは取付桟ビス止め板部１０の上横板片１２にねじ込まれた押圧ビス２２に押圧支持され、野縁受け３の下フランジ３ｃは野縁受けビス止め板部１１の下横板片１９のビス孔２１にビス２３を野縁受け３の下フランジ３ｃにビス止めすることによって、より一層、部材取付桟８及び野縁受け３に対する上下方向からの衝撃を上横板片１２と下横板片１９とによっても安定して確実に受け止めて、上下方向からの衝撃に対する耐久性が一層向上する。
【００２４】
又、請求項７の発明に係る天井裏配設部材取付装置によれば、前記交差金具９の上記上横板片１２と、一対の左右縦板片１３，１３と、一対の左右平板部１４，１４と、一対の下横板片１９と、複数のビス孔１５，１６，２０，２１とは、図５又は図７に示すように、一枚の鋼板材９Ａ又は９Ｂの裁断と折曲とによって形成されてなるため、量産に好適であり、製作コストの低減化が可能である。
【図面の簡単な説明】
【００２５】
【図１】本発明の一実施形態の使用状態を示す斜視図である。
【図２】同正面断面図である。
【図３】同側面断面図である。
【図４】同分解斜視である。
【図５】同要部の展開図である。
【図６】同他の実施形態の分解斜視図である。
【図７】同他の実施形態の要部の展開図である。
【図８】従来の天井裏配設部材取付装置を示す斜視図である。
【図９】従来の天井裏配設部材取付装置における交差クリップの使用状態を示す斜視図である。
【図１０】同側面断面図である。
【発明を実施するための形態】
【００２６】
以下に、本発明に係る天井裏配設部材取付装置について、図面を参照して具体的に説明すると、図１〜図４は、図８に示すように、既設の天井裏空隙部６を利用して、この空隙部６に天井裏配設部材７を取り付けるための部材取付桟８を野縁受け３に交差して取り付けてなる天井裏配設部材取付装置の一実施形態の要部を示している。
【００２７】
即ち、天井裏配設部材取付装置の要部である部材取付桟８を野縁受け３に交差して取り付けるための交差金具９は、部材取付桟８にビス止めされる取付桟ビス止め板部１０と、これに平面視Ｌ字状に一体に連続折曲して形成され野縁受け３にビス止めされる野縁受けビス止め板部１１とからなるため、地震等の外部からの強力な衝撃を受けても、部材取付桟８は交差金具９によって野縁受け３に強固に固着され、部材取付桟８が野縁受け３から離脱したり倒壊するようなことはなく、部材取付桟８に取り付けられている天井裏配設部材７の所定の配設状態を安定して且つ確実に維持することができる。
【００２８】
又、部材取付桟８及び野縁受け３は、従来から周知である断面構造からなるもので、何れも縦ウェッブ８ａ，３ａとその上部側の上フランジ８ｂ，３ｂ及び下部側の下フランジ８ｃ，３ｃと横向きの溝開口８ｄ，３ｄとからなる略コ字状長尺部材であるチャッネル部材からなり、部材取付桟８及び野縁受け３に特別な加工を必要とせず、市販品を使用することができるから安価に製造することができる。
【００２９】
そして、前記取付桟ビス止め板部１０は、前記部材取付桟８の上フランジ８ｂに対向して、正確には上フランジ８ｂの上面に対面して上フランジ８ｂを押圧支持する押圧ビス２２をねじ込むための上横板片１２と、前記部材取付桟８を跨いで該上横板片１２から二股状に折曲し下向き縦方向に延びて部材取付桟８の縦ウェッブ８ａ及び溝開口８ｄに対向すると共に、更に下向き縦方向に延びて野縁受け３の縦ウェッブ３ａに対向する一対の左右縦板片１３，１３とからなる。
【００３０】
更に、前記野縁受けビス止め板部１１は、部材取付桟８の左右縦板片１３，１３の側端縁から平面視Ｌ字状に互いに反対方向に、即ち略ハの字状に折曲して形成され野縁受け３の縦ウェッブ３ａに対向する左右平板部１４，１４からなる。
【００３１】
取付桟ビス止め板部１０の左右縦板片１３，１３及び野縁受けビス止め板部１１の左右平板部１４，１４に夫々ビス孔１５，１６を形成している。
【００３２】
又、前記部材取付桟８の上フランジ８ｂに対向する上横板片１２にはビス孔２０が形成され、このビス孔２０に押圧ビス２２がねじ込まれ、該押圧ビス２２の先端部で上フランジ８ｂの上面を押圧して部材取付桟８を押圧支持するようになっている。
【００３３】
従って、押圧ビス２２の先端部で上フランジ８ｂの上面が常時押圧支持されなければならないから、図２又は図３に示すように、部材取付桟８の縦ウェッブ８ａの縦幅が狭い幅Ｌ１のときは押圧ビス２２のビス孔２０に対するねじ込み量が一点鎖線で示すように多くなり、縦幅が広い幅Ｌ２のときは押圧ビス２２のビス孔２０に対するねじ込み量が実線で示すように少ないことになる。
【００３４】
このように、部材取付桟８は、取付桟ビス止め板部１０の上横板片１２と左右縦板片１３，１３とに囲繞された状態となっており、又、前記野縁受けビス止め板部１１は、取付桟ビス止め板部１０の左右縦板片１３，１３の側端縁から平面視Ｌ字状に互いに反対方向に、即ち略ハの字状に折曲して形成され野縁受け３の縦ウェッブ３ａに対向する左右平板部１４，１４からなり、野縁受け３は、取付桟ビス止め板部１０を挟んで野縁受けビス止め板部１１の左右の一対の平板部１４，１４に当接した状態となっており、この互いに面接触した状態で、取付桟ビス止め板部１０の左右縦板片１３，１３に形成されているビス孔１５からビス１７をねじ込むと共に、野縁受けビス止め板部１１の左右平板部１４，１４のビス孔１６からビス１８を野縁受け３にねじ込むことによって、取付桟ビス止め板部１０の左右縦板片１３，１３及び野縁受けビス止め板部１１の左右平板部１４，１４部は部材取付桟８及び野縁受け３に夫々固着されることになるため、部材取付桟８と野縁受け３とは交差金具９によって互いに強力に交差状態に連結され、強大な地震等の外部振動や衝撃に耐えて両者の交差状態を維持し、これらに取り付けられる天井裏配設部材７を安定して配設維持することができる。
【００３５】
更に、前記野縁受けビス止め板部１１の左右平板部１４，１４の下端縁から側面視Ｌ字状に連続折曲して野縁受け３の下フランジ３ｃに対向して、正確には下フランジ３ｃの下面に対面して接触する下横板片１９が形成されている。
【００３６】
それがために、部材取付桟８の上面である上フランジ８ｂは取付桟ビス止め板部１０の上横板片１２にねじ込まれた押圧ビス２２に押接され、野縁受け３の下面でる下フランジ３ｃは野縁受けビス止め板部１１の下横板片１９に当接するようになっているため、部材取付桟８及び野縁受け３に対する上下方向からの衝撃を上横板片１２と下横板片１９とによっても受け止めることができ、それだけ上下方向からの衝撃に対する耐久性が向上する。
【００３７】
結局、野縁受け３と部材取付桟８とは交差金具９によって左右方向、前後方向及び上下方向からの衝撃力に対して十分な耐久力を発揮することができる。
【００３８】
なお、図６に示すように、前記取付桟ビス止め板部１０の上横板片１２は部材取付桟８の長手方向に偏位して設けられ、その偏位した位置にビス孔２０が設けられてなるため、その偏位した位置にある上横板片１２のビス孔２０にねじ込まれる押圧ビス２２によって、下横板片１９と、それより部材取付桟８の長手方向に偏位した位置にある上横板片１２との対向間隔間で部材取付桟８及び野縁受け３を受け止めることなるから、それだけ上下方向からの衝撃に対する耐久性が一層向上する。
【００３９】
又、前記野縁受けビス止め板部１１の下横板片１９には、野縁受け３の下フランジ３ｃにビス止めされるビス孔２１が形成されてなるため、前述のように部材取付桟８上フランジ８ｂは取付桟ビス止め板部１０の上横板片１２にねじ込まれた押圧ビス２２に押圧支持され、野縁受け３の下面である下フランジ３ｃは野縁受けビス止め板部１１の下横板片１９のビス孔２１にビス２３を野縁受け３の下フランジ３ｃにビス止めすることによって、部材取付桟８及び野縁受け３に対する上下方向からの衝撃を上横板片１２と下横板片１９とによっても安定して確実に受け止めて、上下方向からの衝撃に対する耐久性が一層向上する。
【００４０】
なお、これまで説明したビス１７，１８、２２及び２３のうち、上横板片１２にねじ込まれる押圧ビス２２は、その先端部で部材取付桟８の上フランジ８ｂに圧力的に接当するものであるから孔開け作用のためのドリル部が形成されていないが、取付桟ビス止め板部１０の左右縦板片１３，１３に形成されているビス孔１５から部材取付桟８にねじ込まれるビス１７、野縁受けビス止め板部１１の左右平板部１４，１４のビス孔１６から野縁受け３にねじ込まれるビス１８、及び野縁受けビス止め板部１１の下横板片１９のビス孔２１から野縁受け３の下フランジ３ｃにねじ込まれるビス２３は、夫々の先端部ａがドリル部を形成されており、ビス１７，１８及び２３が部材取付桟８及び野縁受け３にねじ込まれる際に、各ビス１７，１８、又は２３の先端ドリル部ａによって、部材取付桟８及び野縁受け３にタップ孔が形成されることになり、部材取付桟８及び野縁受け３の何れの長手方向の何れの個所においても有効に各ビス１７，１８、又は２３をねじ込むことができる。
【００４１】
又、図５又は図７に示すように、前記交差金具９は一枚の鋼板材９Ａ又は９Ｂによって形成されることになり、交差金具９の上記上横板片１２と、一対の左右縦板片１３，１３と、一対の左右平板部１４，１４と、一対の下横板片１９と、複数のビス孔１５，１６，２０，２１とは、一枚の鋼板材９Ａのプレス加工等によって所定形状に裁断されることになる。そして、折り曲げ機等によって、左右縦板片１３，１３と左右平板部１４，１４との折曲部２４，２４、上横板片１２とその両側の左右縦板片１３，１３との間の折曲線２５，２５、左右平板部１４，１４と下横板片１９，１４との間の折曲線２６に沿って折り込まれることによって各部材が製造されることになる。
【００４２】
このように、前記交差金具９の各部材は、図５又は図７に示すように、一枚の鋼板材９Ａ又は９Ｂの裁断と折曲とによって形成されてなるため、量産に好適であり、製作コストの低減化が可能である。
【００４３】
以上のように、本発明によれば、部材取付桟と野縁受けとは、取付桟ビス止め板部と、これに一体形成された野縁受けビス止め板部とからなる交差金具によって面接触によってビス止めされるため、大地震等の強大な外部振動や衝撃を受けても、部材取付桟が野縁受けから離脱したり倒壊するようなことはなく、部材取付桟に取り付けられている天井裏配設部材を所定の配設状態に長期間にわたって安定して安全且つ確実に維持することができる。
【符号の説明】
【００４４】
Ｓ          天井躯体
１          天井部
２          吊りボルト
３          野縁受け
４          野縁
５          天井材
６          天井裏空隙部
７          天井裏配設部材
８          部材取付桟
９          交差金具
１０        取付桟ビス止め板部
１１        野縁受けビス止め板部
１２        上横板片
１３        左右縦板片
１４        左右平板部
１５        ビス孔
１６        ビス孔
１７        ビス
１８        ビス
１９        下横板片
２０        ビス孔
２１        ビス孔
２２        ビス
２３        ビス
【図１】
2019218683.tif 000003
【図２】
2019218683.tif 000004
【図３】
2019218683.tif 000005
【図４】
2019218683.tif 000006
【図５】
2019218683.tif 000007
【図６】
2019218683.tif 000008
【図７】
2019218683.tif 000009
【図８】
2019218683.tif 000010
【図９】
2019218683.tif 000011
【図１０】
2019218683.tif 000012